【事件の表示】
　平成　４年特許願第１０３０４０号「インバータ装置」拒絶査定に対する審判事件［平成　５年１１月１２日出願公開、特開平　５−３００７９２］について、次のとおり審決する。
【結　論】
　本件審判の請求は、成り立たない。
【理　由】
１．手続の経緯・本願発明
　本願は、平成４年４月２２日の出願であって、その発明は請求項１、２に記載されたものであるところ、請求項１に係る発明（以下、本願発明という。）は、請求項１に記載された次のとおりのものである。
「運転条件を決定する複数個の制御項目からなるパラメータ群に基づいて変換動作を行ない、交流電動機を運転制御するインバータ装置において、電動機及び負荷の種類に応じて決められた複数個のパラメータ群が記憶された固定メモリ手段と、実際に接続される負荷が決定されたとき、その電動機及び負荷に適した１個のパラメータ群を上記メモリ手段に記憶されている複数個のパラメータ群の中から選択して読出す制御手段と、この制御手段により読出されたパラメータ群の中の特定のパラメータを表示する表示手段と、この表示手段により表示されたパラメータを変更するパラメータ変更手段と、このパラメータ変更手段により変更されたパラメータと、上記制御手段により読出されたパラメータ群の中の上記変更された特定のパラメータ以外の残りのパラメータを記憶する書替え可能なメモリ手段とを設け、この書替え可能なメモリ手段に書込まれたパラメータ群に基づいて変換動作を行なうように構成したことを特徴とするインバータ装置。」
　
２．引用例
　これに対して、原査定の拒絶の理由に引用された特開昭６４−３４１９５号公報（以下、引用例１という。）に、図面とともに、
「この初期化後、ＥＥＰＲＯＭ５に記憶されている前回動作条件や最終異常内容等のデータを読み込んで内蔵ＲＡＭ３ａに書き込む。」（２頁左下欄３−６行）、
「ここでモードとしては回転数の上昇、下り、ＰＷＭ制御のＶ／Ｆ比、ブレーキ時間、最高周波数の各設定モードや、異常原因再確認モードがあり、モード設定用のモードスイッチＳＷ1を操作することにより順次切替設定ができるのである。」（２頁左下欄１２−１６行）、
「ここでモードスイッチＳＷ1を操作すると、ＣＰＵ３はこのモードスイッチＳＷ1の操作に基づいて現在モードナンバーに「１」プラスしたモードに進み、このモードに対応した現在の設定データを内蔵ＲＡＭ３ａから読み出して表示部ＬＥＤ2に３桁の数字で表示させ且つ表示部ＬＥＤ1にモードナンバーを表示させる。そして現在表示部ＬＥＤ2で表示されている設定条件を変更する場合にはデータ設定用のデータスイッチＳＷ2を操作すれば良く、この場合ＣＰＵ３は同一モード内の次の設定条件のデータを登録しているＣＰＵ３の内蔵ＲＯＭから読み出し、その内容を表示部ＬＥＤ2により表示させる。そして、この表示内容が所望の設定条件であれば使用者は記憶スイッチＳＷ3を操作すればよい。つまり記憶スイッチＳＷ3は条件確定のスイッチであって、該スイッチＳＷ3が投入されるとＣＰＵ３は上記の変更の為に読み出した所定のモードの設定条件のデータに、内蔵ＲＡＭ３ａ及びＥＥＰＲＯＭ５に書き込まれている当該モードのデータを書き替える。」（２頁右下欄１行−３頁左上欄２行）、
「而して順次各モードの設定条件が、変更又は確認が終了して、最初のモードナンバーの“００”に戻ると、起動可能な状態になる。さてこのモード“００”の状態で運転スイッチＳＷ4を起動側に投入すると、ＣＰＵ３はこの投入を感知して内蔵ＲＡＭ３ａに書き込まれた制御条件に基づいてオン／オフ指令信号Ｕ，Ｖ，Ｗを出力する。この指令信号Ｕ，Ｖ，Ｗはインバータ回路１のベースドライバー４を介してスイッチング素子Ｑ1〜Ｑ6をスイッチングさせて３相誘導電動機ＩＭを駆動させる。」（３頁左上欄１９行−右上欄９行）
と記載されていることが認められ、これらの記載によれば引用例１には
「運転条件を決定する複数個のモードに対応した設定データに基づいて変換動作を行ない、３相誘導電動機を運転制御するインバータ装置において、前回動作条件等のデータが記憶されたＥＥＰＲＯＭと、設定データを上記ＥＥＰＲＯＭに記憶されている前回動作条件等のデータの中から読出す制御手段と、この制御手段により読出された設定データの中の特定の設定データを表示する表示部と、この表示部により表示された設定データを変更する手段と、この設定データを変更する手段により変更された設定データと、上記制御手段により読出された設定データの中の上記変更された特定の設定データ以外の残りの設定データを記憶する内蔵ＲＡＭとを設け、この内蔵ＲＡＭに書込まれた設定データに基づいて変換動作を行なうように構成したインバータ装置。」
との発明が開示されていると認めることができる。
　同じく、原査定の拒絶の理由に引用された特開昭６４−５３９７号公報（以下、引用例２という。）には、「本発明のインダクションモータのインバータドライブ方法は、この目的を達成するため、多相インダクションモータのインバータドライブ方法において、同一モータについての複数の巻線接続変更を行う手段と、最適のベクトル制御を行うように予めそれぞれの巻線接続に対応して設定した複数組のモータ制御定数群を記憶する手段とを備え、巻線接続の種別が選択されたとき、その巻線接続に対応する１組のモータ制御定数群を前記記憶手段より読み出して、前記インダクションモータの制御部にモータ制御定数として与えることを特徴とする。」（２頁左上欄１６行−右上欄７行）と記載されていることが認められる。
　
３．対比・判断
　本願発明と引用例１に記載された発明とを対比すると、引用例１に記載された発明における「複数個のモードに対応した設定データ」、「３相誘導電動機」、「表示部」、「内蔵ＲＡＭ」、は、それぞれ、本願発明における「複数個の制御項目からなるパラメータ群」、「交流電動機」、「表示手段」、「書替え可能なメモリ手段」に相当するものであるから、両者は、「運転条件を決定する複数個の制御項目からなるパラメータ群に基づいて変換動作を行ない、交流電動機を運転制御するインバータ装置において、制御手段により読出されたパラメータ群の中の特定のパラメータを表示する表示手段と、この表示手段により表示されたパラメータを変更するパラメータ変更手段と、このパラメータ変更手段により変更されたパラメータと、上記制御手段により読出されたパラメータ群の中の上記変更された特定のパラメータ以外の残りのパラメータを記憶する書替え可能なメモリ手段とを設け、この書替え可能なメモリ手段に書込まれたパラメータ群に基づいて変換動作を行なうように構成したインバータ装置。」の点で一致し、本願発明は、電動機及び負荷の種類に応じて決められた複数個のパラメータ群が記憶された固定メモリ手段と、実際に接続される負荷が決定されたとき、その電動機及び負荷に適した１個のパラメータ群を上記メモリ手段に記憶されている複数個のパラメータ群の中から選択して読出す制御手段とを備えるのに対し、引用例１に記載された発明は、このような構成を備えていない点で相違が認められる。
　そこで、前記相違点について検討する。
　引用例２の、「巻線接続の種別」、「モータ制御定数群」は、本願発明の「電動機の種類」、「パラメータ群」にそれぞれ相当するものであるから、前記引用例２には、電動機の種類に応じて決められた複数個のパラメータ群が記憶された固定メモリ手段と、電動機の種類が決定されたとき、その電動機に適した１個のパラメータ群を上記メモリ手段に記憶されている複数個のパラメータ群の中から選択して読出す制御手段とを備えるインバータ装置が示されているものである。また、負荷の種類に応じてパラメータを設定すべきことは周知の技術事項である（必要であれば、特開昭６３−２１３４８８号公報（３頁左下欄１２−１６行）、特開平２−２８０６８８号公報（２頁左上欄１３−１４行）等参照）。そして、引用例１および引用例２に記載の技術は、共に、メモリ手段に書込まれたパラメータ群に基づいてインバータ装置の変換動作を行なうものであるから、両者は技術的に共通の分野に属するものといえる。してみると、電動機及び負荷の種類に応じたパラメータ群を設定する目的で、引用例１に記載された発明に、引用例２に記載の固定メモリ手段と制御手段を採用し、前記周知技術も勘案して、電動機及び負荷の種類に応じて決められた複数個のパラメータ群が記憶された固定メモリ手段と、実際に接続される負荷が決定されたとき、その電動機及び負荷に適した１個のパラメータ群を上記メモリ手段に記憶されている複数個のパラメータ群の中から選択して読出す制御手段を設けることは、当業者が容易に想到し得るものである。
　そして、インバータに接続される負荷が変わっても、最適な運転条件を与えるのに必要なパラメータ群が簡単に設定できるという、本願発明が奏する作用効果も、引用例１、引用例２及び周知技術から当業者が予測できる範囲のものである。
　
４．むすび
　以上のとおり、本願発明は、引用例１、引用例２及び周知技術に基づいて当業者が容易に発明をすることができたものであるから、特許法第２９条第２項の規定により特許を受けることができない。
　よって、結論のとおり審決する。